(57)【要約】      （修正有）【課題】サイドポケットを備えたどのような上着にも適用することが可能で、着用時のデザイン性や着心地性を損なうことなく、非着用時においては縫いぐるみとしても活用できる上着を提供する。【解決手段】前身頃にポケット開口を設けその開口縁に収納用袋を止着することによってサイドポケット３を形成し、該サイドポケット３の収納用袋５を、非着用時にあってはポケット開口より引き出し表裏反転させてこれに上着１全体を詰め込み収納することが可能な構成とするとともにポケット開口にリバーシブル型のファスナー９を取り付ける。また、前記サイドポケットを構成する収納用袋の形状が縫いぐるみの外皮形状となるよう、且つ、着用時における前記収納用袋の内面が縫いぐるみの外面となるよう形成する。【選択図】図１
0003158116.tif 000002
【実用新案登録請求の範囲】
【請求項１】
前身頃にポケット開口を設け、その開口縁に収納用袋を止着してサイドポケットを形成し、該サイドポケットの収納用袋を、着用時にあっては前身頃内側に配し、非着用時にあってはポケット開口より引き出し表裏反転させこれに上着全体を詰め込み収納することを可能なよう構成するとともに、前記ポケット開口にリバーシブル型のファスナーを取り付けてなることを特徴とする上着。
【請求項２】
サイドポケットを構成する収納用袋が縫いぐるみの外皮形状をなし、且つ、着用時における前記収納用袋の内面が縫いぐるみの外面となるよう形成したことを特徴とする請求項１に記載の上着。
【考案の詳細な説明】
【技術分野】
【０００１】
本考案は、衣服、特にサイドポケットを構成する収納用袋を縫いぐるみの外皮形状に形成し、非着用時に該収納用袋内に上着全体を収納することが可能な上着に関する。
【背景技術】
【０００２】
従来より、携帯性、装飾性及び収納性の観点から、衣服本体を収納するためのポケットが設けられた衣服は幾つか開示されている。例えば、収納用ポケットを上着後身頃内側に取り付け、ポケット開口からポケット袋布を引き出し、これに上着全体を詰め込んでファスナーによって閉じると縫いぐるみになるもの（特許文献１）、又は、衣服表面部にキャラクター人形等の装飾面を有する収容体を着脱可能に取付け、非着用時にはこの収容体に衣服の一部又は全部を被包収納するもの（特許文献２）、更には、人形形状から着用可能な帽子に変えられるリバーシブルな人形／帽子（特許文献３）等が開示されている。
【特許文献１】実用新案登録第３０９２４５９号公報
【特許文献２】実用新案登録第３１４３７０７号公報
【特許文献３】特表２００１−５１４７１３号公報
【０００３】
前記実用新案登録第３０９２４５９号公報に開示されている「上着」においては、上着本体の後身頃に縫いぐるみ形状からなる収納用の袋体（ポケット）を取り付ける構成となっており、この考案によると、縫いぐるみ袋体の形状や大きさがある程度自由に選択できるため、その収納力に制約が少なく、また、縫いぐるみデザインの選択範囲が広がるという利点がある。しかし一方で、そのために、縫いぐるみを形取った収納用袋体（ポケット）やその開口部を不自然な位置（後身頃位置）に設けなければならず、また、その開口部を隠すためにフラップ等を取り付けなければならない。したがって、上着本体のデザイン性はかえって損なわれてしまい、また、着用時に後身頃内側に取り付けたこのポケット部が背中に当たって違和感を感じたり、外見的にも不自然な膨らみが生じてしまうなどの不都合がある。
【０００４】
また、実用新案登録第３１４３７０７号公報に開示されている「衣服用装飾具及び衣服」にあっては、衣服本体とは別にその表面に各種キャラクター形状等からなる収納用の装飾体が着脱可能に取り付けられているもので、着用時にあっても該装飾体は衣服のデザイン要素の一部となっている。したがって、収納性や装飾性に優れているとしても、当該考案の適用は、これらキャラクター等の装飾体のデザインに適した衣服、例えば、遊び心を強調した子供用の普段着や女性用のカジュアル性の強い衣料に限定されてしまい、衣服全般に適用させることは実際上難しい構成となっている。
【０００５】
さらに、特表２００１−５１４７１３号公報に開示されている「リバーシブルな人形／帽子」にあっては、内部キャビティが形成され、頭部分とこれに固定された胴体部分及び内部キャビティにアクセスできるような周縁を有するジッパ付きの開口を有する人形部分と、クラウン部分とそこに取り付けられた鍔及び内側周縁にヘッドバンドが延設された帽子部分とによって構成され、前記人形部分の開口周縁及びジッパが帽子部分のヘッドバンドの一部を形成するような構成となっている。これにより帽子部分が人形の詰め物として機能するとともに着用可能な帽子形状とすることも可能としている。しかしながら、当該発明は帽子という限定された形態において実現可能なリバーシブル機能であって、異なる形態からなる衣服類に適用できるものではない。
【考案の開示】
【考案が解決しようとする課題】
【０００６】
本考案は、上記従来の問題点に鑑みなされたもので、サイドポケットを備えたどのような種類の上着にも適用することができ、着用時のデザイン性及び着心地性を損なうことなく、非着用時においては縫いぐるみとして携帯することもできる上着の提供を課題とする。
【課題を解決するための手段】
【０００７】
上記課題を解決するため、本考案に係る上着は、前身頃にポケット開口を設け、その開口縁に収納用袋を止着することによってサイドポケットを形成し、該サイドポケットの収納用袋を、着用時にあっては前身頃内側に配され、非着用時にあってはポケット開口より引き出し表裏反転させてこれに上着全体を詰め込み収納することが可能な構成とするとともに、前記ポケット開口にリバーシブル型のファスナーを取り付けた。
【０００８】
また、前記サイドポケットを構成する収納用袋の形状が縫いぐるみの外皮形状となるよう、且つ、着用時における前記収納用袋の内面が縫いぐるみの外面となるよう形成した。
【考案の効果】
【０００９】
上記構成からなる本考案の上着は、着用時にあっては外観的にも機能的にも通常の状態と何ら変わるところはないが、非着用時にあってはサイドポケットの収納用袋をポケット開口部より引き出し表裏反転させ、これに上着全体を詰め込むことが可能なため、持ち運びや収納に便利で、バッグやタンス等に収納する際も余分なスペースを取らないですむ。
【００１０】
また、ポケットを構成する収納用袋を縫いぐるみの外皮形状に形成した場合にあっては、非着用時に上着本体を表裏反転したポケット内に詰め込み収納してファスナーを閉じると、その収納形態が装飾体としての縫いぐるみとなるため、携帯用縫いぐるみとして持ち歩くことも、装飾品として室内に飾っておくこともできる。
【００１１】
さらに、本考案によるポケットは上着全般で広く採用されているサイドポケットに適用させているため、上着本体を収納するためのポケットをわざわざ別に設ける必要はなく、サイドポケットの収納用袋の形態を適宜変更し開口にリバーシブル型ファスナーを取り付けることだけで、性別や年齢又はその用途に限定されないあらゆる種類の衣料に採用することができる。しかも、デザイン上の制約も着用時のシルエットに不自然さを生じさせることもない。
【考案を実施するための最良の形態】
【００１２】
以下、図面を参照し、本考案の最良の実施形態について説明する。
【００１３】
図１ないし図６は、本考案に係る上着を紳士用ジャンパーに適用した場合の一実施例であって、図１は同ジャンパーの全形を示す斜視図、図２は上着全体をサイドポケット内に収納する状態を示す斜視図、図３は身頃裏面の展開説明図、図４は身頃表面の展開説明図、図５は身頃裏面側から視た収納用袋部分の正面図、図６は上着全体をポケット内に収納し縫いぐるみ形態とした場合の同縫いぐるみの正面図である。
【００１４】
なお、実施例図面における上着はジャンパーとして描かれているが、ジャケット、セーター、ウインドブレーカー、レインウエアー等、サイドポケットを備える上着であればいずれの形態であってもよい。また、本実施例図面では裏地を省略しているが、裏地の有無やリバーシブル型であるか否かによって限定されるものではない。
【００１５】
本実施例に係る上着（ジャンパー）１は、図１及び図４で示すように、前身頃２の左右両側のウエスト部附近に開口部を有するサイドポケット３、４が設けられている。このサイドポケット３、４は、その開口縁に収納用袋５、６が前身頃２の内側に配されるようにして止着され、また、開口部には、口布７、８を介してファスナー９、１０が取り付けられている。
【００１６】
そして、前記サイドポケット３，４のうち、少なくとも何れか一方のポケット（本実施例ではサイドポケット３）の開口部に取り付けられたファスナー９は、リバーシブル型のファスナーとなっていて、スライダー１１によって表裏何れの側からも開閉可能な構造となっている。
【００１７】
また、サイドポケット３の開口縁に止着されている収納用袋５は、上着１全体を収納できる容量からなり、図１、図３、図５及び図６に示すように、全体が縫いぐるみの外皮形状をなし、着用（通常）時におけるその袋内面が縫いぐるみの外面となるよう形成されている。
【００１８】
前記サイドポケット３の収納用袋５は、上着１を詰め込み収納した際に縫いぐるみ態様に立体感を出すとともに収納を容易にするため、図３及び図５で示すように、複数枚の布片（ａ）、（ｂ）、（ｃ）、（ｄ）、（ｅ）、（ｆ）、（ｇ）、（ｈ）・・・をパイピングテープ１２によって繋ぎ合わせ立体形状となるよう縫製されている。
【００１９】
また、本実施例にあっては、縫いぐるみがベア形状であることから、よりリアリティを出すため、頭部や腹部を構成する収納用袋５の本体とは別に、ボタンからなる目１３、鼻１４、端切れ布などを利用して作られた手１５、足１６、耳１７の各パーツが取り付けられている。この際、手１５、足１６及び耳１７の各パーツは、袋状に成形するなどして若干の膨らみを持たせておくと良い。
【００２０】
次に、本考案に係る上着１の使用方法について説明すると、着用時にあっては、収納用袋５は前身頃２の内側にあってサイドポケット３内に収まった状態になっているので、従来一般の上着と外観的にも何ら変わることがなく普通に着用できる。非着用時にあっては、サイドポケット３の開口部より収納用袋５を図１に示すように表裏反転させて引き出し、その後、図２に示すように上着１全体を反転させた収納用袋５内に詰め込み収納し、収納し終わった後にスライダー１１によってファスナー９を閉塞する。これによって、その収納形態が縫いぐるみとなる。
【００２１】
図示実施例では縫いぐるみをベアー形状としたが、本考案はこれに限られることなく他の動物、人形、各種キャラクター等、どのような形状形態のものであってもよい。また、他方のポケット４もポケット３と同様の構成にしても良く、この場合、収納用袋６を他の縫いぐるみ形状にすれば２種類の縫いぐるみ形態を選択的に楽しむことができる。
【００２２】
なお、収納用袋５（又は収納用袋６）を含むサイドポケット３（又はサイドポケット４）の全体を防水素材によって製作しておけば、例えば上着１がレインウエアーのようなもので雨などで濡れてしまったような場合に、これを前記の方法で収納用袋５（又は収納用袋６）内に詰め込んで縫いぐるみ状態にしておけば、防水カバーとしての機能も発揮し、他の物を濡らしたり他人に迷惑をかけるような事態を有効に防ぐことができる。
【図面の簡単な説明】
【００２３】
【図１】本実施形態に係るジャンパー上着の全形を示す斜視図。
【図２】同上着をサイドポケット内に収納する状態を示す斜視図。
【図３】同上着の身頃裏面の展開説明図。
【図４】同上着の身頃表面の展開説明図。
【図５】同上着の身頃裏面側から視た収納用袋部分の正面図。
【図６】同上着をポケット内に収納し縫いぐるみ形態とした場合の縫          いぐるみ正面図。
【符号の説明】
【００２４】
１ 上着
２ 前身頃
３  サイドポケット
５  収納用袋
９  ファスナー
１１  スライダー
１２  パイピングテープ
【図１】
0003158116.tif 000003
【図２】
0003158116.tif 000004
【図３】
0003158116.tif 000005
【図４】
0003158116.tif 000006
【図５】
0003158116.tif 000007
【図６】
0003158116.tif 000008